(57)【特許請求の範囲】
【請求項１】
表示部を備えた携帯端末装置において、
当該携帯端末装置の筐体の形態変化を検出して信号を出力するセンサと、
搭載されている複数の機能のそれぞれの説明を示すデータを格納したデータベースと、
前記センサからの信号を入力したことに基づいて、当該携帯端末装置の筐体の形態が変化したと判定する判定手段と、
前記判定手段が当該携帯端末装置の筐体の形態が変化したと判定したときに、前記データベースに格納されているデータをランダムに抽出して前記表示部に出力し、前記表示部への出力後に、操作に応じて前記表示部に出力されているデータを消去する機能説明選択手段とを備えた
ことを特徴とする携帯端末装置。
【請求項２】
複数の機能のそれぞれの説明を示すデータは、番号に対応付けられてデータベースに格納され、
機能説明選択手段は、
前記番号をランダムに指定するための乱数を生成する乱数生成手段を含み、
前記乱数生成手段が生成した乱数を用いて指定される番号に対応したデータを、前記データベースから抽出する
請求項１記載の携帯端末装置。
【請求項３】
機能説明選択手段は、
乱数生成手段が生成した乱数にもとづいて、データベースに格納されているデータの数に応じたインデックスを作成するインデックス作成手段を含み、
前記インデックス作成手段が作成したインデックスで指定される番号に対応したデータを、前記データベースから抽出する
請求項２記載の携帯端末装置。
【請求項４】
センサは、当該携帯端末装置が開状態となったことを検出して信号を出力し、
判定手段は、前記センサからの信号を入力したことに基づいて、当該携帯端末装置が開状態であるか否かを判定し、
契機検出手段は、前記判定手段によって当該携帯端末装置が開状態であると判定された場合に、あらかじめ決められている契機が生じたことを検出したとする
請求項１から請求項３のうちのいずれか１項に記載の携帯端末装置。
【請求項５】
格納したデータベースに格納されているデータが過去に機能説明選択手段によって抽出されたか否か判断する抽出済み判断手段を備え、
前記機能説明選択手段は、前記抽出済み判断手段が機能説明選択手段によって抽出されたと判断したデータを、抽出対象から除外する
請求項１から請求項４のうちのいずれか１項に記載の携帯端末装置。
【発明の詳細な説明】
【技術分野】
【０００１】
本発明は、搭載されている機能をユーザに紹介できる携帯端末装置に関する。
【背景技術】
【０００２】
現在では、ほぼ一人一台まで携帯電話機が普及している。携帯電話機は、当初は音声通話のみの機能を備えていたが、近年はメールの送受信、インターネット接続、カメラ、音楽再生、ＦｅｌｉＣａ（登録商標）、ＧＰＳ等の高度かつ多様な機能を搭載して（備えて）いる。その一方で、取扱説明書のページ数も年々増え続けているため、ユーザにとっては、携帯電話機に搭載されているある機能を使う際に使い方を探す手間が増え続けている。
【０００３】
また、一つ一つの機能自体も端末（携帯電話機等）の多機能化の中で埋もれてしまい、ユーザが端末に搭載されている機能を知らないまま、次の機種へ変更してしまう場合もある。
【０００４】
各種機能設定モードにするそれぞれの操作をユーザが覚えていなくても、簡単かつ迅速に所望の機能設定モードに移行させることができる端末装置が考案されている（特許文献１参照）。例えば、特許文献１に記載されている機能設定モード検索装置によれば、検索キーワードを入力するだけで装置を簡単かつ迅速に所望の機能設定モードに移行させることができる。
【先行技術文献】
【特許文献】
【０００５】
【特許文献１】特開２００４−２０８１９６号公報（段落００３２−００３９、図５，６）
【発明の概要】
【発明が解決しようとする課題】
【０００６】
しかし、特許文献１に記載されている機能設定モード検索装置では、ユーザは使いたい機能をあらかじめ認識していなければならず、ユーザが携帯電話機等に備えられている機能を認識していなければ、装置を機能設定モードに移行させることはできない。
【０００７】
そこで、本発明は、そもそも搭載されている機能自体を知らないユーザに対して、搭載されている機能を紹介する携帯端末装置を提供することを目的とする。
【課題を解決するための手段】
【０００８】
本発明による携帯端末装置は、表示部を備えた携帯端末装置であって、当該携帯端末装置の筐体の形態変化を検出して信号を出力するセンサと、搭載されている複数の機能のそれぞれの説明を示すデータを格納したデータベースと、センサからの信号を入力したことに基づいて、当該携帯端末装置の筐体の形態が変化したと判定する判定手段と、判定手段が当該携帯端末装置の筐体の形態が変化したと判定したときに、データベースに格納されているデータをランダムに抽出して表示部に出力し、表示部への出力後に、操作に応じて表示部に出力されているデータを消去する機能説明選択手段（例えば、乱数発生モジュール２２、インデックス作成モジュール２３およびデータベース管理モジュール２４で実現される。）とを備えたことを特徴とする。
【００１０】
複数の機能のそれぞれの説明を示すデータが、番号に対応付けられてデータベースに格納され、機能説明選択手段は、番号をランダムに指定するための乱数を生成する乱数生成手段を含み、乱数生成手段が生成した乱数を用いて指定される番号に対応したデータを、データベースから抽出することが好ましい。
【００１１】
機能説明選択手段は、乱数生成手段が生成した乱数にもとづいて、データベースに格納されているデータの数に応じたインデックスを作成するインデックス作成手段を含み、インデックス作成手段が作成したインデックスで指定される番号に対応したデータを、データベースから抽出するように構成されていてもよい。
【００１２】
センサは、当該携帯端末装置が開状態となったことを検出して信号を出力し、判定手段は、センサからの信号を入力したことに基づいて、当該携帯端末装置が開状態であるか否かを判定し、契機検出手段は、判定手段によって当該携帯端末装置が開状態であると判定された場合に、あらかじめ決められている契機が生じたことを検出したとすることが好ましい。
【００１３】
また、本発明による携帯端末装置は、格納したデータベースに格納されているデータが過去に機能説明選択手段によって抽出されたか否か判断する抽出済み判断手段を備え、機能説明選択手段は、抽出済み判断手段が機能説明選択手段によって抽出されたと判断したデータを、抽出対象から除外してもよい。
【００１４】
本発明による好ましい態様の携帯端末装置は、標準的に液晶などのディスプレイを備え、このディスプレイに、その端末が保有する機能を次々に表示する。そうすることによって、利用者は搭載されている機能の存在を知ることができる。ただし、いつも同じ機能を表示しても意味がないため、表示する機能を差し替える。すなわち、携帯電話機等の複雑な機能を誰でも簡単に使えるよう、ランダムにユーザの興味を引く機能説明をディスプレイに表示することが好ましい。
【００１５】
何らかのアクションを契機にすることが好ましいので、二つ折り形式やスライド形式の携帯端末装置（例えば携帯電話機）であれば、例えば筐体の形態変更を契機とする。形態変更を検出するために、例えば、それを検知するセンサ（例えば図１に示す二つ折り検出センサ１４）が設けられる。センサからの電気信号にもとづいてソフトウェアで形態変更を検知することができる。ストレート型端末など形状が変化しない端末であれば、キー押下などを契機にしてもよい。
【００１６】
なお、乱数生成手段を、ハードウェアで実現してもよいしソフトウェアで実現してもよい。ランダムさは、それほど厳密には要求されない。
【発明の効果】
【００１７】
本発明によれば、機器に搭載されている複数の機能のそれぞれの説明を表示部にランダムに表示することができ、搭載されているものの実際はあまり使われない機能群に利用者の注目を集め、その利用を促進することができる。
【図面の簡単な説明】
【００１８】
【図１】携帯端末装置の一例である携帯電話機を示す外観図である。
【図２】携帯電話機の一構成例を示すブロック図である。
【図３】データベースの一例を示した説明図である。
【図４】携帯電話機の動作を説明するフローチャートである。
【図５】携帯電話機のディスプレイに表示される画面の一例を示す説明図である。
【図６】第２の実施の形態における携帯電話機の動作を説明するフローチャートである。
【発明を実施するための形態】
【００１９】
実施の形態１．
以下、本発明の実施の形態を図面を参照して説明する。図１は、本発明による携帯端末装置の一例である携帯電話機を示す外観図である。図１（ａ）は、開いた状態の携帯電話機を示し、図１（ｂ）は、閉じた状態の携帯電話機を示す。本実施の形態では、携帯電話機はカメラ機能、目覚まし時計機能およびメールの送受信機能を備えた二つ折り形式の携帯電話機であるとする。携帯電話機１は、通常の携帯電話機能を実現するためにキー操作部や音声通話部などを備えている。なお、本実施の形態では、携帯電話機１は３つの機能（カメラ機能、目覚まし時計機能およびメールの送受信機能）を備えているが、携帯電話機１が備える機能は３つよりも多くても少なくてもよい。例えば、携帯電話機１は他の機能（ＧＰＳ等）を備えていてもよい。さらに、携帯電話機はスライド式形式や形状が変化しないストレート型であってもよい。
【００２０】
携帯電話機１は、ディスプレイ１５を含む上部筐体１１と、キー操作部１６を含む下部筐体１２と、ヒンジ部１３と、二つ折り検出センサ１４とを備える。上部筐体１１と下部筐体１２とはヒンジ部１３で開閉可能に接続されている。そして、携帯電話機１は、図１に示すように、開状態（図１（ａ））と閉状態（図１（ｂ））の二通りの状態を持つ（有する）ことができる。
【００２１】
図１に示されているように、開状態（ａ）ではディスプレイ１５とキー操作部１６は外部に露出する。そのため、ユーザはディスプレイ１５に表示される情報を見ながらキー操作部１６を操作することができる。一方、閉状態（ｂ）ではヒンジ部１３を中心に上部筐体１１と下部筐体１２とが二つに折りたたまれ、ディスプレイ１５とキー操作部１６は内部に隠される。これにより、携帯電話機１の誤動作を防ぎ、ポケットへの格納がしやすくなるなど、携帯電話機１を便利に利用できるようになる。
【００２２】
携帯電話機１は、ヒンジ部１３周辺に開・閉状態を検出するための二つ折り検出センサ１４を備える。二つ折り検出センサ１４からの電気信号により、携帯電話機１は、開状態か閉状態かをソフト的に検知することが出来る。
【００２３】
携帯電話機１における閉状態から開状態への状態の変化は、ユーザが携帯電話機１に対して積極的に何らかの操作を行おうとしているものと判断される。その際に一言、携帯電話機１は、自身の持つ機能一言説明をディスプレイ１５に表示する。そうすることにより、携帯電話機１はユーザに自身の持つ機能をアピールできる。
【００２４】
図２は、携帯電話機１の一構成例を示すブロック図である。図２に示されているように、携帯電話機１は実線で表されたハードウェア構成部分と、破線で表されたソフトウェア構成部分とによって実現される。具体的には、携帯電話機１は、装置形態検出モジュール２１と、乱数発生モジュール２２と、インデックス作成モジュール２３と、データベース管理モジュール２４と、メッセージ表示モジュール２５と、メモリ２６と、二つ折り検出センサ１４と、ディスプレイ１５と、キー操作部１６とを備える。なお、実際の携帯電話機はこのほかにも多数のモジュールを持つが、本実施の形態では、携帯電話機１の動作に直接関係しない構成要素（例えば音声通話部）は省略されている。
【００２５】
ソフトウェア構成部分は、例えばＲＯＭなどに記憶されたプログラムに従って動作するＣＰＵの機能部によって実現される。ソフトウェア構成部分は、二つ折り検出センサ１４から受信した電気信号を契機に処理を実行する。
【００２６】
装置形態検出モジュール２１は、二つ折り検出センサ１４から受信した電気信号により携帯電話機１が開状態であるか否かを判定する。例えば、装置形態検出モジュール２１で携帯電話機が開状態にあると判定された場合には、携帯電話機１はディスプレイ１５のバックライトを点灯する等の処理を実行することも可能である。
【００２７】
乱数発生モジュール２２は、どの機能説明を表示するかを決定するためのランダムなレコード番号を生成する。具体的には、乱数発生モジュール２２は乱数を生成する。なお、レコード番号とは、携帯電話機１に搭載されている各機能の説明を要約したデータベースにおける、各機能説明に対応した機能番号である。生成される乱数のランダムさは、厳密的なものではなく簡易的なものでもよい。
【００２８】
インデックス作成モジュール２３は、乱数発生モジュール２２で生成された乱数をデータベースのレコード数（機能説明の数）に対応する番号に変換し、取り出すレコード番号を決定する。データベースから取り出すレコード番号は、インデックスで指定される。
【００２９】
データベース管理モジュール２４は、指定されたインデックスのレコードをデータベースから読み込む処理を実行する。なお、データベースはメモリ２６に格納されている。
【００３０】
メッセージ表示モジュール２５は、データベースから読み込んだレコードをディスプレイ１５に出力する機能を有する。具体的には、メッセージ表示モジュール２５は、データベース管理モジュール２４がデータベースから読み込んだレコードより表示する画面を作成し、ディスプレイ１５に表示する。
【００３１】
メモリ２６は、例えばフラッシュメモリで実現される。メモリ２６は、携帯電話機１に搭載されている各機能を短い文章で要約したデータベースを保持している。
【００３２】
二つ折り検出センサ１４は、携帯電話機１が開状態であるか否かを検出する。携帯電話機１は、二つ折り検出センサ１４から受信した電気信号を契機に処理を実行する。
【００３３】
ディスプレイ１５は、具体的にはＬＣＤによって実現される。ディスプレイ１５には、携帯電話機１が搭載している機能の紹介画面等が表示される。
【００３４】
キー操作部１６は、電話番号等を入力するためのキーボタンを含む。キー操作部１６は、入力された信号をＣＰＵ等の制御部に出力する機能を有する。
【００３５】
次に、本実施の形態における携帯電話機１の動作について説明する。図３は、本実施の形態で用いるデータベースの一例を示した説明図である。図３に示されているように、データベースには携帯電話機に搭載された機能、機能の説明、レコード番号に対応したインデックスおよび表示済みフラグが含まれる。表示済みフラグには、同じ説明が繰り返して表示されないように、表示済みであるか否かが記録される。
【００３６】
各機能の説明は、レコード番号に対応したインデックスを指定することで読み出すことができる。例えば図３のデータベースに対して、インデックス１を指定するとカメラ機能の説明を読み出すことができる。また、番号（インデックス）を変えると異なる機能の説明を取り出すことができる。なお、データベースには書き込みも可能である。
【００３７】
データベースに格納されているどのレコードを取り出すかを決める乱数は乱数発生部（モジュール）によって生成される。ここで、必要とされる乱数のランダムさはそう高いものではないので、乱数は簡易的なもので十分である。そして、インデックス作成モジュール２３は乱数生成部（モジュール）によって生成された乱数を、データベースのレコード数に対応する番号に変換して取り出すレコード番号を決める。
【００３８】
例えばここで乱数２５が生成されたとする。図３に示されているデータベースのレコード数は３であるため、生成された乱数を直接はインデックスとして指定できない。このため２５÷３＝８…１の余り１をインデックスとして利用し、レコード１を取り出す。この場合、図３に示されているデータベースの例ではカメラ機能の説明を取り出すことが出来る。
【００３９】
なお、画面を表示する際にテンプレートを使用してもよい。テンプレートを使うことで、異なるレコードで統一した表示形式をとることができる。そうすることによって、携帯電話機１はデータベースの情報を見やすく整理した形で利用者に提示することが出来る。
【００４０】
次に、図４のフローチャートを用いて携帯電話機１の動作をより具体的に説明する。ステップＳ４０１において、装置形態検出モジュール２１は携帯電話機１の形状に変化があったかどうかを検知する。閉状態から開状態へ状態が変化した場合（ステップＳ４０１：ＹＥＳ）、携帯電話機１は以降の動作を順次実行する。そうでない場合は、携帯電話機１は動作を終了する（ステップＳ４０１：ＮＯ）。
【００４１】
ステップＳ４０２において、乱数発生モジュール２２は乱数を生成する。そして、ステップＳ４０３において、インデックス作成モジュール２３は、生成された乱数が実際の説明レコード数以上か未満かを判定する。乱数がレコード数以上であった場合、インデックス作成モジュール２３は、データベースのレコード数に応じたインデックスを作成する（ステップＳ４０４）。乱数がレコード数未満であった場合、生成された乱数はそのままインデックスとして使用できるため、ステップＳ４０４のインデックス生成処理は不要となる（ステップＳ４０３：ＮＯ）。
【００４２】
データベース管理モジュール２４は、データベースから、指定されたインデックスのレコードを読み込む（ステップＳ４０５）。そして、メッセージ表示モジュール２５は読み込んだレコードをディスプレイ１５に表示する（ステップＳ４０６）。なお、ステップＳ４０６において、メッセージ表示モジュール２５はテンプレートを使用してもよい。そうすることによって、異なるレコードで統一した表示形式となり、携帯電話機１はデータベースの情報を見やすく整理した形でユーザに提示することができる。
【００４３】
ディスプレイ１５に表示される表示イメージを図５に示す。ステップＳ４０７においてユーザによりＯＫキーが押下されると、携帯端電話機１はディスプレイ１５に表示されている説明を消去する（ステップＳ４０８）。
【００４４】
以上に説明したように、携帯電話機１は、搭載されている機能の説明をランダムにユーザに通知することができる。したがって、ユーザは、取扱説明書を熟読しなくても携帯電話機１に搭載されている機能を知ることができる。よって、本発明の携帯端末装置によれば、機器に搭載されているものの実際はあまり使われない機能群にユーザの注目を集め、その利用を促進することができる。
【００４５】
実施の形態２．
次に、第２の実施の形態について図面を参照して説明する。本実施の形態における携帯端末装置は、第１の実施の形態と同様に二つ折り形式の携帯電話機であり、第１の実施の形態の携帯電話機と同じ構成要素を備える。本実施の形態では、携帯電話機１が一度表示した説明と同じ説明を繰り返し表示しない場合について説明する。
【００４６】
図６は、第２の実施の形態における携帯電話機１の動作を説明するフローチャートである。ステップＳ６０１において、装置形態検出モジュール２１は携帯電話機１の形状に変化があったかどうかを検知する。閉状態から開状態へ状態が変化した場合（ステップＳ６０１：ＹＥＳ）、携帯電話機１は以降の動作を順次実行する。そうでない場合は、携帯電話機１は動作を終了する（ステップＳ６０１：ＮＯ）。
【００４７】
ステップＳ６０２において、乱数発生モジュール２２は乱数を生成する。そして、ステップＳ６０３において、インデックス作成モジュール２３は、生成された乱数が実際の説明レコード数以上か未満かを判定する。乱数がレコード数以上であった場合、インデックス作成モジュール２３は、データベースのレコード数に応じたインデックスを作成する（ステップＳ６０４）。乱数がレコード数未満であった場合、生成された乱数はそのままインデックスとして使用できるため、ステップＳ６０４のインデックス生成処理は不要となる（ステップＳ６０３：ＮＯ）。
【００４８】
データベース管理モジュール２４は、データベースの表示済みフラグがオンであるか否かを判定する（ステップＳ６０５）。表示済みフラグが「オン」の場合、携帯電話機１は工程をステップＳ６０２にもどして再び乱数を生成する（ステップＳ６０５：ＹＥＳ）。表示済みフラグが「ＯＦＦ」の場合、データベース管理モジュール２４はデータベースから、指定されたインデックスのレコードを読み込む（ステップＳ６０６）。その際、データベース管理モジュール２４は、読み込んだレコードの表示済みフラグをセットする（ステップＳ６０７）。
【００４９】
そして、メッセージ表示モジュール２５は読み込んだレコードをディスプレイ１５に表示する（ステップＳ６０８）。ステップＳ６０９においてユーザによりＯＫキーが押下されると、携帯電話機１はディスプレイ１５に表示されている説明を消去する（ステップＳ６１０）。
【００５０】
以上に説明したように、本実施の形態の携帯電話機１は、再度同じ情報を表示してユーザを退屈させないように、一度表示したレコードの「表示済み」フラグをセットする。こうすることにより、表示するたびに異なる情報（機能説明）が出るため、ユーザの失望感を減らすことができる。なお、本実施の形態では説明のためにデータ（機能説明）が３件と少ないが、データベースに記録されるデータは３件よりも多くても少なくてもよい。データベースのデータ量そのものを多く用意することの方がユーザの期待感をあおるには有用である。
【００５１】
実施の形態３．
次に、第３の実施の形態について説明する。第１の実施の形態および第２の実施の形態では、携帯電話機１は二つ折りの形態の変化を契機に機能表示を実行していた。第３の実施の形態では、携帯端末装置は、タイマーによりユーザの操作が一定時間無いと判定された場合に機能表示を実行する。この場合、携帯端末装置はスクリーンセーバー的に機能説明を表示することになる。
【００５２】
なお、本実施の形態の携帯端末装置は第１の実施の形態の携帯電話機と同様の構成要素を備え、さらにタイマー機能を備えているものとする。そうすることによって、ユーザの操作が一定時間無い場合に、携帯端末装置は搭載された機能をランダムにユーザに紹介することができる。その場合、携帯端末装置は、図４または図６における開状態判定処理（ステップＳ４０１およびステップＳ６０１）の代わりに、タイマー機能により、ユーザの操作が一定時間無いかどうかを判定する。
【００５３】
また、携帯端末装置は、表示する画面上に説明した機能を起動するためのボタンを用意（表示）してもよい。そうすることによって、ユーザはたまたま興味を持った機能を選択して使用してみることができる。その結果、携帯端末装置に搭載された実際の機能の利用促進につなげることができる。
【００５４】
なお、上述した実施の形態では携帯電話機の場合について説明したが、携帯端末装置は、ＰＨＳ、ＰＤＡ、携帯ゲーム機または携帯音楽プレーヤ等であってもよい。
【産業上の利用可能性】
【００５５】
本発明は、携帯電話機、携帯型情報端末、携帯音楽プレーヤ、携帯動画プレーヤ、携帯ゲーム機等に適用できる。
【符号の説明】
【００５６】
１  携帯電話機
１１  上部筐体
１２  下部筐体
１３  ヒンジ部
１４  二つ折り検出センサ
１５  ディスプレイ
１６  キー操作部
２１  装置形態検出モジュール
２２  乱数発生モジュール
２３  インデックス作成モジュール
２４  データベース管理モジュール
２５  メッセージ表示モジュール
２６  メモリ
【図１】
0005397438.tif 000002
【図２】
0005397438.tif 000003
【図３】
0005397438.tif 000004
【図４】
0005397438.tif 000005
【図５】
0005397438.tif 000006
【図６】
0005397438.tif 000007